(57)【要約】  陰茎の尿道口を確実に覆うことのできる尿取パッドを提供する。尿取パッド（１）は、陰茎に装着されて尿を吸収するシート状の尿取パッドである。尿取パッドは、中心部（１０）、及び複数の放射状部（２２，２４）を備えている。中心部は、尿取パッドの装着時に陰茎の尿道口に対向する部分である。放射状部は、中心部から放射状に広がっている。放射状部が尿取パッドの内面側に折り曲げられることにより、陰茎を収容可能な陰茎収容部（５０）が形成される。
2017183092.tif 000002
【特許請求の範囲】
【請求項１】
陰茎に装着されて尿を吸収するシート状の尿取パッドであって、  当該尿取パッドの装着時に前記陰茎の尿道口に対向する中心部と、  前記中心部から放射状に広がる複数の放射状部と、を備え、  前記複数の放射状部が当該尿取パッドの内面側に折り曲げられることにより、前記陰茎を収容可能な陰茎収容部が形成されることを特徴とする尿取パッド。
【請求項２】
請求項１に記載の尿取パッドにおいて、  前記中心部の径は、２ｃｍ以上５ｃｍ以下である尿取パッド。
【請求項３】
請求項１又は２に記載の尿取パッドにおいて、  前記複数の放射状部は、同一の形状及び大きさを有している尿取パッド。
【請求項４】
請求項１乃至３の何れかに記載の尿取パッドにおいて、  前記各放射状部は、前記中心部から遠ざかるにつれて幅が広くなる形状をしている尿取パッド。
【請求項５】
請求項４に記載の尿取パッドにおいて、  前記各放射状部は、略扇形である尿取パッド。
【請求項６】
請求項４又は５に記載の尿取パッドにおいて、  前記放射状部の個数は、２である尿取パッド。
【請求項７】
請求項１乃至３の何れかに記載の尿取パッドにおいて、  前記各放射状部は、幅が一定の形状をしている尿取パッド。
【請求項８】
請求項７に記載の尿取パッドにおいて、  前記各放射状部は、略長方形である尿取パッド。
【請求項９】
請求項７又は８に記載の尿取パッドにおいて、  前記放射状部の個数は、４である尿取パッド。
【請求項１０】
請求項１乃至９の何れかに記載の尿取パッドにおいて、  前記中心部は、前記各放射状部よりも厚く形成されている尿取パッド。
【請求項１１】
請求項１乃至１０の何れかに記載の尿取パッドにおいて、  前記中心部と前記各放射状部との境界部は、前記各放射状部よりも薄く形成されている尿取パッド。
【請求項１２】
請求項１乃至１１の何れかに記載の尿取パッドにおいて、  前記各放射状部が折り曲げられた形状が維持されるように構成されている尿取パッド。
【請求項１３】
請求項１２に記載の尿取パッドにおいて、  前記中心部と前記各放射状部との境界部は、塑性変形する尿取パッド。
【請求項１４】
請求項１２又は１３に記載の尿取パッドにおいて、  折り曲げられた前記複数の放射状部どうしを固定する固定手段を備える尿取パッド。
【請求項１５】
請求項１４に記載の尿取パッドにおいて、  前記固定手段は、前記陰茎が勃起したときに前記複数の放射状部の固定状態が解けるように、当該複数の放射状部どうしを仮着するものである尿取パッド。
【請求項１６】
請求項１乃至１５の何れかに記載の尿取パッドにおいて、  前記中心部と前記各放射状部との境界部に、切込みが入っている尿取パッド。
【請求項１７】
請求項１乃至１６の何れかに記載の尿取パッドにおいて、  前記中心部は、高吸水性樹脂を含有している尿取パッド。
【請求項１８】
請求項１７に記載の尿取パッドにおいて、  前記各放射状部も、前記高吸水性樹脂を含有している尿取パッド。
【請求項１９】
請求項１７に記載の尿取パッドにおいて、  前記各放射状部は、前記高吸水性樹脂を含有していない尿取パッド。
【請求項２０】
請求項１乃至１９の何れかに記載の尿取パッドにおいて、  当該尿取パッドは、水洗トイレに流すことが可能である尿取パッド。
【発明の詳細な説明】
【技術分野】
【０００１】  本発明は、男性用の尿取パッドに関する。
【背景技術】
【０００２】  従来の尿取パッドとしては、例えば特許文献１に記載されたものがある。同文献に記載された尿取パッドは、陰茎に装着されて尿を吸収する男性用の尿取パッドであって、横長の長方形状をしている。この尿取パッドは、陰茎に装着される際、次のように組み立てられる。まず、左下の角部を右斜め上方向に折り返した後、当該折返し部分に重なるようにして右下の角部を左斜め上方向に折り返す。次に、折返し部分どうしを両面接着テープで固定する。それにより、円錐形状の陰茎収容部が得られる。
【先行技術文献】
【特許文献】
【０００３】
【特許文献１】特開２００４−５７５７８号公報
【発明の概要】
【発明が解決しようとする課題】
【０００４】  特許文献１に記載された尿取パッドにおいては、長方形のシートが上述のように組み立てられることにより、円錐形状の陰茎収容部が形成される。そのため、組み立て方によっては、陰茎収容部の先端部分に穴ができてしまう。この先端部分は、陰茎の尿道口に対向する部分である。それゆえ、当該部分に穴が存在すると、陰茎の尿道口を確実に覆うことができず、尿取パッドの外に尿が漏れる原因となりかねない。【０００５】  本発明は、上記課題に鑑みてなされたものであり、陰茎の尿道口を確実に覆うことのできる尿取パッドを提供することを目的とする。
【課題を解決するための手段】
【０００６】  本発明による尿取パッドは、陰茎に装着されて尿を吸収するシート状の尿取パッドであって、当該尿取パッドの装着時に上記陰茎の尿道口に対向する中心部と、上記中心部から放射状に広がる複数の放射状部と、を備え、上記複数の放射状部が当該尿取パッドの内面側に折り曲げられることにより、上記陰茎を収容可能な陰茎収容部が形成されることを特徴とする。【０００７】  この尿取パッドにおいては、装着時に陰茎の尿道口に対向する中心部と、中心部から放射状に広がる複数の放射状部とが設けられている。装着の際、複数の放射状部が尿取パッドの内面側に折り曲げられることにより、陰茎を収容可能な陰茎収容部が形成される。このため、陰茎収容部の先端は、上記中心部によって覆われることになる。これにより、陰茎の尿道口を確実に覆うことができる。
【発明の効果】
【０００８】  本発明によれば、陰茎の尿道口を確実に覆うことのできる尿取パッドが実現される。
【図面の簡単な説明】
【０００９】
【図１】本発明による尿取パッドの一実施形態を示す平面図である。
【図２】図１のII−II線に沿った端面図である。
【図３】図２の円Ｃ１で囲まれた部分を示す拡大図である。
【図４】図１の尿取パッドの装着時の概形を示す斜視図である。
【図５】一変形例に係る尿取パッドを示す平面図である。
【図６】他の変形例に係る尿取パッドを示す平面図である。
【図７】図６の尿取パッドの装着時の概形を示す斜視図である。
【発明を実施するための形態】
【００１０】  以下、図面を参照しつつ、本発明の実施形態について詳細に説明する。なお、図面の説明においては、同一要素には同一符号を付し、重複する説明を省略する。
【００１１】  図１は、本発明による尿取パッドの一実施形態を示す平面図である。尿取パッド１は、陰茎に装着されて尿を吸収する男性用の尿取パッドである。同図は、尿取パッド１の外面（装着時に陰茎に対向する内面とは反対側の面）を示している。この尿取パッド１は、水洗トイレに流すことが可能であることが好ましい。
【００１２】  尿取パッド１は、シート状をしており、中心部１０、及び複数（具体的には２つ）の放射状部２２，２４を備えている。これらの中心部１０と放射状部２２，２４とは、一体に形成されている。中心部１０は、尿取パッド１の装着時に陰茎の尿道口に対向する部分である。本実施形態において中心部１０は、平面視で円形をしている。中心部１０の径（直径）は、２ｃｍ以上５ｃｍ以下であることが好ましい。
【００１３】  放射状部２２，２４は、中心部１０から放射状に広がっている。これらの放射状部２２，２４は、同一の形状及び大きさを有している。各放射状部２２，２４は、中心部１０から遠ざかるにつれて幅が広くなる形状をしている。本実施形態において各放射状部２２，２４は、平面視で略扇形である。放射状部２４は、中心部１０を挟んで放射状部２２の反対側に設けられている。放射状部２２と放射状部２４とは、中心部１０を介して互いに連結されている。ただし、放射状部２２と放射状部２４とは、互いに独立している。すなわち、放射状部２２と放射状部２４とは、中心部１０との境界部以外の部分においては、互いに完全に分離されている。
【００１４】  図２は、図１のII−II線に沿った端面図である。中心部１０は、各放射状部２２，２４よりも厚く形成されている。また、中心部１０と各放射状部２２，２４との境界部は、各放射状部２２，２４よりも薄く形成されている。
【００１５】  図３は、図２の円Ｃ１で囲まれた部分を示す拡大図である。尿取パッド１は、内側シート１４、外側シート１６及び吸水層１８からなる三層構造を有している。内側シート１４は、尿取パッド１の内面を構成しており、透水性を有している。内側シート１４は、尿取パッド１の内面の全体にわたって設けられている。すなわち、内側シート１４は、中心部１０から各放射状部２２，２４まで連続して設けられている。内側シート１４の材料としては、例えば不織布を用いることができる。外側シート１６は、尿取パッド１の外面を構成しており、不透水性（防水性）を有している。外側シート１６は、尿取パッド１の外面の全体にわたって設けられている。すなわち、外側シート１６は、中心部１０から各放射状部２２，２４まで連続して設けられている。外側シート１６の材料としては、例えばプラスチックを用いることができる。
【００１６】  吸水層１８は、内側シート１４と外側シート１６との間に設けられており、吸水性を有している。吸水層１８は、内側シート１４と外側シート１６とで挟まれた領域の略全体に設けられている。ただし、中心部１０における吸水層１８の厚みは、各放射状部２２，２４における吸水層１８の厚みよりも大きい。このため、尿取パッド１においては、上述のように、中心部１０の厚みが、各放射状部２２，２４の厚みよりも大きくなっている。また、中心部１０と各放射状部２２，２４との境界部における吸水層１８の厚みは、各放射状部２２，２４における吸水層１８の厚みよりも小さい。このため、尿取パッド１においては、上述のように、上記境界部の厚みが、各放射状部２２，２４の厚みよりも小さくなっている。なお、上記境界部には、吸水層１８が設けられていなくてもよい。
【００１７】  吸水層１８の材料としては、例えば、高吸水性樹脂、紙粉等を用いることができる。吸水層１８の材料として高吸水性樹脂を用いる場合、当該高吸水性樹脂は、中心部１０にのみ含有されてもよいし、中心部１０だけでなく各放射状部２２，２４にも含有されてもよい。
【００１８】  図４は、尿取パッド１の装着時の概形を示す斜視図である。同図に示すように、装着の際、放射状部２２，２４が尿取パッド１の内面側に折り曲げられることにより、陰茎を収容可能な陰茎収容部５０が形成される。陰茎収容部５０は、折り曲げられた放射状部２２，２４によって構成された筒状部を有する。放射状部２２の一部分と放射状部２４の一部分とは、重なり合っている。この筒状部の先端は、中心部１０によって覆われている。このように陰茎収容部５０は、先端が中心部１０によって覆われた筒状をしている。
【００１９】  本実施形態においては、折り曲げられた複数の放射状部２２，２４どうしを固定する固定手段として、粘着テープ３０（図１参照）が設けられている。粘着テープ３０は、放射状部２２の内面の両端付近に設けられている。放射状部２２，２４が折り曲げられた状態で、放射状部２２の内面を粘着テープ３０を介して放射状部２４の外面に貼着させることにより、放射状部２２と放射状部２４とを固定することができる。これにより、各放射状部２２，２４が折り曲げられた形状が維持される。すなわち、尿取パッド１の外側から外力を加えていない状態においても、上記形状が維持される。
【００２０】  固定手段は、陰茎が勃起したときに放射状部２２，２４の固定状態が解けるように、複数の放射状部２２，２４どうしを仮着する仮着手段であることが好ましい。かかる仮着手段は、例えば、粘着テープ３０の粘着力を適度に調整することにより実現することができる。
【００２１】  尿取パッド１の効果を説明する。尿取パッド１においては、装着時に陰茎の尿道口に対向する中心部１０と、中心部１０から放射状に広がる放射状部２２，２４とが設けられている。装着の際、放射状部２２，２４が尿取パッド１の内面側に折り曲げられることにより、陰茎を収容可能な陰茎収容部５０が形成される。このため、陰茎収容部５０の先端は、中心部１０によって覆われることになる。これにより、陰茎の尿道口を確実に覆うことができる。
【００２２】  陰茎の尿道口を確実に覆うには、中心部１０の径が大きい方が有利である。かかる観点から、中心部１０の径は、２ｃｍ以上であることが好ましい。他方、中心部１０の径が大きすぎると、装着時に尿取パッド１と陰茎との間に隙間が生じやすくなってしまう。かかる観点から、中心部１０の径は、５ｃｍ以下であることが好ましい。
【００２３】  陰茎収容部５０は、筒状をしている。かかる形状の陰茎収容部５０は、陰茎にフィットさせやすいという利点がある。これに対し、特許文献１に記載された尿取パッドにおいては、陰茎収容部が先細りの形状をしているため、当該陰茎収容部を陰茎にフィットさせにくい。そのため、陰茎収容部の内面と陰茎との間に大きな隙間が生じやすいという問題がある。かかる隙間の存在は、陰茎収容部の外に尿が漏れたり、陰茎から陰茎収容部が外れたりする原因となりかねない。
【００２４】  装着前の尿取パッド１は、シート状をしている。これにより、立体成形の必要がないため、尿取パッド１の製造が容易になる。
【００２５】  複数の放射状部２２，２４は、同一の形状及び大きさを有している。これにより、幾何学的な対称性が高まるため、装着前の尿取パッド１の美観を向上させることができる。
【００２６】  各放射状部２２，２４は、中心部１０から遠ざかるにつれて幅が広くなる形状をしている。かかる形状は、少数の放射状部（放射状部２２，２４）であっても陰茎の広範囲を覆うことができる点で有利である。実際、本実施形態においては、放射状部が２つしか設けられていない。
【００２７】  中心部１０は、各放射状部２２，２４よりも厚く形成されている。この中心部１０は、陰茎の尿道口から放出された尿を直接に受ける部分である。それゆえ、かかる中心部１０を厚くすることにより、尿取パッド１の吸収力を効率良く高めることができる。他方、放射状部２２，２４を薄くすることは、装着時における尿取パッド１の嵩張りを小さく抑えるのに有利である。
【００２８】  中心部１０と各放射状部２２，２４との境界部は、各放射状部２２，２４よりも薄く形成されている。これにより、当該境界部に沿って各放射状部２２，２４を折り曲げやすくすることができる。
【００２９】  尿取パッド１は、各放射状部２２，２４が折り曲げられた形状が維持されるように構成されている。これにより、尿取パッド１が陰茎から外れにくくすることができる。特に本実施形態においては、折り曲げられた複数の放射状部２２，２４どうしを固定する固定手段（粘着テープ３０）が設けられている。これにより、簡易な構成で、各放射状部２２，２４が折り曲げられた形状を維持することができる。
【００３０】  固定手段が仮着手段である場合、陰茎が勃起したときに、放射状部２２，２４の固定状態が解ける。これにより、陰茎が勃起した場合であっても、当該陰茎が尿取パッド１によって圧迫されにくくなる。このため、勃起時の陰茎の痛みを抑制することができる。
【００３１】  中心部１０が高吸水性樹脂を含有する場合、尿取パッド１の吸収力（特に吸水量）を高めることができる。さらに、中心部１０だけでなく各放射状部２２，２４も高吸水性樹脂を含有する場合、尿取パッド１の吸収力を一層高めることができる。このように高吸水性樹脂は、尿取パッド１の吸収力に寄与する反面、吸水すると膨潤する性質を有する。高吸水性樹脂の膨潤は、尿取パッド１の嵩張りにつながる。そこで、嵩張りを小さく抑えつつ尿取パッド１の吸収力を効率良く高める観点からは、中心部１０及び放射状部２２，２４のうち中心部１０にのみ高吸水性樹脂を含有させることが好ましい。
【００３２】  尿取パッド１が水洗トイレに流すことが可能なものである場合、使用済みの尿取パッド１を水洗トイレに流して処分することができるため、尿取パッド１の利便性が向上する。
【００３３】  本発明は、上記実施形態に限定されるものではなく、様々な変形が可能である。上記実施形態においては、折り曲げられた放射状部２２，２４どうしを固定する固定手段が設けられた場合を例示した。しかし、かかる固定手段を設けることは、必須でない。
【００３４】  上記実施形態においては、中心部１０と各放射状部２２，２４との境界部が塑性変形するようにしてもよい。かかる構成は、例えば、内側シート１４又は外側シート１６の少なくとも一部分（上記境界部を含む部分）を塑性変形可能な材料で構成することにより実現することができる。塑性変形可能な材料としては、例えば、形状記憶樹脂、形状記憶合金、形状記憶不織布、形状記憶紙等の形状記憶材料を用いることができる。このように上記境界部が塑性変形する場合、上述の固定手段を設けなくても、各放射状部２２，２４が折り曲げられた形状を維持することができる。
【００３５】  上記実施形態においては、各放射状部２２，２４が折り曲げられた形状が維持される場合を例示した。しかし、尿取パッド１は、上記形状が維持されないように構成されていてもよい。その場合であっても、陰茎に装着された尿取パッド１の上に下着やおむつを着用することにより、尿取パッド１が陰茎から外れるのを防ぐことができる。
【００３６】  上記実施形態においては、中心部１０の厚みが各放射状部２２，２４の厚みより大きい場合を例示した。しかし、中心部１０の厚みは、各放射状部２２，２４の厚みに等しくてもよいし、各放射状部２２，２４の厚みより小さくてもよい。また、上記実施形態においては、中心部１０と各放射状部２２，２４との境界部の厚みが各放射状部２２，２４の厚みより小さい場合を例示した。しかし、当該境界部の厚みは、各放射状部２２，２４の厚みに等しくてもよいし、各放射状部２２，２４の厚みより大きくてもよい。
【００３７】  上記実施形態においては、中心部１０と各放射状部２２，２４との境界部に切込みが入っていない場合を例示した。しかし、例えば図５に示すように、当該境界部の一部分に沿って切込みが入っていてもよい。同図においては、中心部１０と放射状部２２との境界部の両端から当該境界部に沿って、点線Ｌ１で示される２つの切込みが入っている。同様に、中心部１０と放射状部２４との境界部の両端から当該境界部に沿って、点線Ｌ２で示される２つの切込みが入っている。かかる切込みを入れておくことにより、中心部１０と各放射状部２２，２４との境界部が曲線状をしている場合であっても、当該境界部に沿って各放射状部２２，２４を折り曲げやすくなる。
【００３８】  上記実施形態においては、中心部１０が円形である場合を例示した。しかし、中心部１０の平面形状は、任意であり、例えば、楕円形、矩形等であってもよい。中心部１０が円形以外の平面形状を有する場合、中心部１０の径は、当該中心部１０を内包することのできる最小の円の直径として定義される。例えば、中心部１０が楕円形の場合であれば、その径は、長軸の長さに等しい。また、中心部１０が矩形の場合であれば、その径は、対角線の長さに等しい。
【００３９】  上記実施形態においては、２つの放射状部（放射状部２２，２４）が設けられた場合を例示した。しかし、３つ以上の放射状部が設けられていてもよい。すなわち、放射状部の個数は、２以上の任意の値をとることができる。
【００４０】  上記実施形態においては、各放射状部２２，２４が中心部１０から遠ざかるにつれて幅が広くなる形状をしている場合を例示した。しかし、各放射状部は、図６に示すように、幅が一定の形状をしていてもよい。尿取パッド２においては、複数（具体的には４つ）の放射状部４２，４４，４６，４８が、中心部１０から放射状に広がっている。各放射状部４２，４４，４６，４８は、略長方形である。放射状部４４は、中心部１０を挟んで放射状部４２の反対側に設けられている。放射状部４８は、中心部１０を挟んで放射状部４６の反対側に設けられている。放射状部４６，４８は、放射状部４２，４４の延在方向（図中の上下方向）と直交する方向（図中の左右方向）に延在している。
【００４１】  図７に示すように、装着の際、放射状部４２，４４，４６，４８が尿取パッド２の内面側に折り曲げられることにより、陰茎を収容可能な陰茎収容部６０が形成される。このように各放射状部４２，４４，４６，４８が幅が一定の形状をしている場合、装着時に放射状部４２，４４，４６，４８どうしが重なりにくくすることができる。実際、陰茎収容部６０においては、放射状部４２，４４，４６，４８どうしが重なり合っていない。これにより、装着時における尿取パッド２の嵩張りを小さく抑えることができる。
【００４２】  上記実施形態においては、複数の放射状部が同一の形状及び大きさを有する場合を例示した。しかし、複数の放射状部は、相異なる形状又は大きさを有していてもよい。
【符号の説明】
【００４３】１  尿取パッド２  尿取パッド１０  中心部１４  内側シート１６  外側シート１８  吸水層２２，２４  放射状部３０  粘着テープ４２，４４，４６，４８  放射状部５０  陰茎収容部６０  陰茎収容部
【図１】
2017183092.tif 000003
【図２】
2017183092.tif 000004
【図３】
2017183092.tif 000005
【図４】
2017183092.tif 000006
【図５】
2017183092.tif 000007
【図６】
2017183092.tif 000008
【図７】
2017183092.tif 000009
【国際調査報告】
2017183092.tif 000010
2017183092.tif 000011